(57)【要約】【課題】遊技機における所定の入賞条件の達成を決定するため経過を一層趣向性に富んだ態様で遊技者に提示することが可能な遊技機の構成技術を提供する。【解決手段】第１の振分け動作を行う第１の振分け体１５３と、この第１の振分け体１５３に概ね近接するとともに、第２の振分け動作を行う第２の振分け体１６１とが組み合わされた入賞装置１０５を有する遊技機であって、第１の振分け体１５３と第２の振分け体１６１とが所定の組合せ状態となった場合に、遊技球が第１の振分け体１５３と第２の振分け体１６１との間で移動可能とされ、これによって所定の入賞条件が達成されるよう構成されている。【選択図】        図３
2004236837.tif 000002
【特許請求の範囲】
【請求項１】
第１の振分け動作を行う第１の振分け体と、この第１の振分け体に概ね近接するとともに、第２の振分け動作を行う第２の振分け体とが組み合わされた入賞装置を有する遊技機であって、
前記入賞装置においては、
前記第１の振分け体と第２の振分け体とが所定の組合せ状態となった場合に、遊技球が前記第１の振分け体と第２の振分け体との間で移動可能とされ、これによって所定の入賞条件が達成されるよう構成されていることを特徴とする遊技機。
【発明の詳細な説明】
【０００１】
【発明の属する技術分野】
本発明は、入賞装置を有する遊技機に関し、詳しくは遊技球による所定の入賞条件の達成を決定するための経過態様に工夫を講じることで遊技の趣向性を向上した遊技機に関する。
【０００２】
【従来の技術】
遊技機の一例として、所定の態様で駆動される入賞装置を有するパチンコ機の構成が特許文献１（特開平４−３３２５７５号公報）に開示されている。この遊技機における入賞装置では、回転体に設けられた特定球受口および普通球受口のうち、特定球受口を通り抜けた遊技球のみが特定通路に移送されて特別入賞の確度を高める遊技態様が構成される。
【０００３】
ところで、上記のように特定の遊技状態を得るべく、遊技球による所定の入賞条件が達成される過程を楽しむことが可能な入賞装置の構成については、如何に遊技者に対する趣向性を訴求するかが重要である。この点、従来の入賞装置における入賞決定経過とは異なる新たな構成態様の開発を追及する要請が高い。
【０００４】
【特許文献１】
特開平４−３３２５７５号公報
【０００５】
【発明が解決しようとする課題】
本発明は、かかる点に鑑みてなされたものであり、遊技機における所定の入賞条件の達成を決定するため経過を一層趣向性に富んだ態様で遊技者に提示することが可能な遊技機の構成技術を提供することを目的とする。
【０００６】
【課題を解決するための手段】
上記課題を達成するため、各請求項記載の発明が構成される。
請求項１に記載の発明によれば、第１の振分け動作を行う第１の振分け体と、この第１の振分け体に概ね近接するとともに、第２の振分け動作を行う第２の振分け体とが組み合わされた入賞装置を有する遊技機が構成される。そして当該入賞装置においては、第１の振分け体と第２の振分け体とが所定の組合せ状態となった場合に、遊技球が前記第１の振分け体と第２の振分け体との間で移動可能とされる。この結果、所定の入賞条件が達成されるよう構成されている。
【０００７】
このように構成することにより、本発明に係る遊技機の遊技者は、遊技球が入賞するか否かにつき、互いの振分け体が相対的に動作し、いかなる組合せになるかを目視しつつ楽しむことが可能とされる。この結果、遊技における入賞態様が多様化され、遊技の趣向性を向上することが可能となった。
【０００８】
さらに、本発明の趣旨により、下記に述べる各種の態様を構成することが可能である。
（態様１）
「請求項１に記載の遊技機であって、
前記第１の振分け体および第２の振分け体の少なくとも一方は、所定の回転軸回りに回転駆動されることで遊技球を振分け動作する回転体として構成されていることを特徴とする遊技機。」
【０００９】
この態様によれば、第１および第２の振分け体の少なくとも一方を、遊技球の振分け動作が可能な回転体として構成することにより、趣向性に富んだ入賞過程を遊技者に提示することが可能とされる。
【００１０】
（態様２）
「請求項１または２に記載の遊技機であって、
所定の回転軸回りに回転する第１の回転体と、この第１の回転体の回転周縁部に概ね近接するとともに、当該第１の回転体の回転軸と平行した回転軸回りに回転する第２の回転体とが組み合わされた入賞装置を有し、
前記入賞装置においては、
前記第１の回転体と第２の回転体とが所定の組合せ状態となった場合に、遊技球が前記第１の回転体と第２の回転体との間で移動可能とされ、これによって所定の入賞条件が達成されるよう構成されていることを特徴とする遊技機。」
【００１１】
この態様によれば、第１の回転体と第２の回転体とが組み合わされた入賞装置を有する遊技機が構成される。第１の回転体は所定の回転軸回りに回転可能に構成される。また第２の回転体は、第１の回転体の回転周縁部に概ね近接するとともに、当該第１の回転体の回転軸と平行した回転軸回りに回転可能に構成される。双方の回転体は、視認性の見地より、互いに直径の異なる寸法で構成するのが好ましい。また第２の回転体が第１の回転体の「回転周縁部に概ね近接」に関しては、第１の回転体の接線と、第２の回転体の接線とが平行かつ近接するように配置するのが好ましい。なお遊技機における遊技領域の有効活用、および入賞装置の一体性向上の見地から、第２の回転体は、第１の回転体に重合するように配置するのが好ましい。
【００１２】
本発明に係る遊技機における入賞装置では、第１の回転体と第２の回転体とが所定の組合せ状態となった場合に、遊技球が前記第１の回転体と第２の回転体との間で移動可能とされ、これによって所定の入賞条件が達成されるよう構成される。従って遊技者は、遊技球が入賞するか否かにつき、互いの回転体が相対的に回転動作し、どのような組合せになるかを目視しつつ楽しむことが可能とされる。この結果、遊技における入賞態様が多様化され、遊技の趣向性を向上することが可能となった。
【００１３】
なお第１および第２の回転体の各回転速度については、等速に設定する態様、一方の回転体が他方の回転体に対して一定の速度差を有する態様、双方の回転体の速度差を可変とする態様等、入賞確率の大小ないし遊技者に対する趣向性の大小に基づいて適宜に設定可能である。また、所定の遊技状態（例えばラッキータイム）に至ることを条件に回転速度を変化させるといった遊技形態も適宜に採用可能である。
【００１４】
（態様３）
「態様１または２に記載の遊技機であって、
所定の入賞条件の達成により、遊技上の特典を遊技者に付与するべく、
遊技球を保持しつつ、所定の回転軸回りに回転する第１の回転体と、
遊技球の入賞部を有し、前記第１の回転体の回転周縁部に概ね近接するとともに、当該第１の回転体の回転軸と平行した回転軸回りに回転する第２の回転体とが組み合わされた入賞装置を有する遊技機であって、
前記入賞装置においては、
前記第１の回転体と第２の回転体とが所定の組合せ状態となった場合に、遊技球が前記第１の回転体側から前記第２の回転体の入賞部側へと移動可能とされ、これによって所定の入賞条件が達成されるよう構成されていることを特徴とする遊技機。」
【００１５】
この態様によれば、態様１または２に記載の遊技機の入賞装置に関し、所定の入賞条件の達成により、遊技上の特典を遊技者に付与するべく、第１の回転体については、遊技球を保持しつつ、所定の回転軸回りに回転可能に構成する。一方、第２の回転体については、遊技球の入賞部を有し、第１の回転体の回転周縁部に概ね近接するとともに、当該第１の回転体の回転軸と平行した回転軸回りに回転するように構成する。第２の回転体に設けられる入賞部は、入賞条件の達成確率の大小に合わせて適宜設定すればよく、一つないし複数のいずれであってもよい。
【００１６】
この態様における入賞装置では、第１の回転体と第２の回転体とが所定の組合せ状態となった場合に、第１の回転体側に保持された遊技球が、当該第１の回転体側から第２の回転体の入賞部側へと移動可能とされ、これによって所定の入賞条件が達成されるよう構成される。これにより遊技者は、遊技球が第２の回転体の入賞部に入賞するか否かにつき、互いの回転体が相対的に回転動作し、どのような組合せになるかを目視しつつ楽しむことが可能とされる。この結果、遊技における入賞態様が多様化され、遊技の趣向性を向上することが可能となった。
【００１７】
（態様４）
「態様１から３までのいずれかに記載の遊技機であって、
前記第１の回転体と第２の回転体とは、各回転軸がともに遊技者に向かうように配置されていることを特徴とする遊技機。」
【００１８】
この態様によれば、上記した各態様における遊技機につき、第１および第２の回転体は、その回転軸がともに遊技者に向かうように配置されてなる。これにより遊技者は各回転体の回転面を容易に視認することが可能とされるため、回転体同士の作動を一層容易に目視して楽しむことが可能になる。
【００１９】
（態様５）
「態様１から４までのいずれかに記載の遊技機であって、
前記第１の回転体は、周縁領域に複数の遊技球保持部を有するとともに、中央領域には、遊技者に対する遊技上の所定の特典の付与に関する所定の図柄を表示するための図柄表示手段が配設されていることを特徴とする遊技機。」
【００２０】
この態様によれば、第１の回転体が、その周縁領域に複数の遊技球保持部を有するように構成される。さらに第１の回転体の中央領域には、遊技者に対する遊技上の所定の特典の付与に関する所定の図柄を表示するための図柄表示手段が配設される。例えば、複数の図柄を変動状に表示するとともに、停止した図柄の組合せに応じて遊技上の得点を付与する図柄変動表示装置がこれに該当する。この図柄表示手段は遊技機における遊技領域における占有スペースが比較的大きくなり易いが、本態様では、これを第１の回転体の中央領域に配置することで、遊技領域におけるスペース効率を向上することが可能とされる。また、入賞装置と図柄表示装置が集合状に遊技者に提示され、遊技者は遊技球の入賞に至る過程と、図柄の表示を容易に同時観察できるため、遊技者が遊技に集中し易い環境を確保することが可能とされる。
【００２１】
なお、図柄表示装置を第１の回転体の中央領域に配設するに際し、第１の回転体を中空状に形成し、当該第１の回転体の中央領域に形成される中空スペースに図柄表示装置を固設する態様とするのが好ましい。このようにすれば、中央に固定状に配置された図柄表示装置の周囲を中空状の回転体が回転するように見えることとなり、遊技者の視覚に対する訴求効果を向上するのに資する。
【００２２】
（態様６）
「態様１から５までのいずれかに記載の遊技機であって、
第１の回転体は、周縁領域に複数の遊技球保持部を複数有し、
前記第２の回転体は、周縁領域に複数の遊技球入賞口を有し、
前記遊技球保持部の配設数は、前記遊技球入賞部の配設数よりも多くなるように構成されていることを特徴とする遊技機。」
【００２３】
この態様によれば、多数配設された遊技球保持部のうち、どの遊技球保持部に遊技球が保持された場合に第２の回転体側の入賞部に入賞するかを遊技者が容易には察知し難くなり、飽きの来にくい遊技態様とすることが可能とされる。
【００２４】
（態様７）
「態様６に記載の遊技機であって、
前記第２の回転体に設けられた複数の遊技球入賞口は、一部が遊技者に遊技上の特典を付与する特別入賞口を構成し、他が一般入賞口を構成することを特徴とする遊技機。」
【００２５】
この態様によれば、複数の遊技球入賞口の一部を、所定の遊技上の得点付与のための特定入賞口に設定し、残りの入賞口については、一般の入賞口に設定することにより、入賞条件の達成確率を合理的に設定するとともに、遊技者に付与される遊技上の特典の大小を適宜に振り分けることで遊技の趣向性を増大することに資する。
【００２６】
（態様８）
「態様１から７までのいずれかに記載の遊技機であって、
前記入賞条件は、さらに他の入賞部への遊技球入賞の際に、遊技者に所定の遊技特典を付与するための権利を発生させる条件として規定されることを特徴とする遊技機。」
【００２７】
この態様によれば、各遊技機における入賞条件は、他の入賞部への遊技球入賞の際に、遊技者に所定の遊技特典を付与するための権利を発生させる条件として規定される。いわゆる第３種と称呼される遊技機を例にすれば、本発明における入賞条件を達成することによって、いわゆる大当たり権が発生し、その間に他の入賞部（例えば第３種始動口）への遊技球が入賞することで、所定の特典状態（例えば大当たり状態）が得られるようにする構成が可能とされ、遊技者は趣向性に富んだ入賞装置を通じて更なる遊技上の特典獲得を目指して遊技を楽しむことが可能となる。
【００２８】
（態様９）
「態様１から８までのいずれかに記載の遊技機であって、
前記回転体は、複数の遊技球保持部が形成されたルーレットとして形成されていることを特徴とする遊技機。」
【００２９】
この態様によれば、回転体をルーレットに模すことで、入賞装置を趣向性に富んだ外観デザインとし、遊技者の遊技に対する楽しみを一層増大することに資する。
【００３０】
【発明の実施の形態】
以下、本発明の実施の形態に係るパチンコ機１０１につき図面を参照しつつ詳細に説明する。このうちパチンコ機１０１の全体構成が図１に示され、当該パチンコ機１０１の電装システム構成が図２に示され、さらにパチンコ機１０１における電動役物装置１０５の詳細な構成が図３以降に示される。なおパチンコ機１０１は、本発明における「遊技機」の一例である。
【００３１】
図１に示すように、本実施の形態に係るパチンコ機１０１の遊技盤１０３の表面に形成された遊技領域１０４には、電動役物装置１０５、始動口１０７、電動役物装置１０５への遊技球入口１０９、第３種始動口１１１、大入賞口１１３が、特に番号を付さない誘導釘、風車、一般入賞口といった周知の要素とともに、それぞれ適所に配置されている。本発明の実施の形態に係るパチンコ機１０１は、いわゆる「第３種」と称呼されるタイプに類別される。なお電動役物装置１０５は、本発明における「入賞装置」に対応する。
【００３２】
始動口１０７には、便宜上特に図示しない始動口センサ（図３において符号１３５で示される）が設定され、当該始動口センサによって始動口１０７に遊技球が入賞したことが検出される。遊技球が始動口１０７に入賞すると、遊技盤１０３の裏面側に配置された賞球装置（図３において符号１３３で示される）から所定数の賞球が払い出される。さらに始動口１０７への入賞に伴い、図２に示す電動役物装置１０５において、開閉羽根１５１が開放動作され、遊技球入口１０９が開放動作される。
【００３３】
遊技球入口１０９から入賞した遊技球が、電動役物装置１０５においてＶ入賞した場合には、いわゆる「大当たり権」が発生し、当該大当たり権の発生中に、第３種始動口１１１に遊技球が入賞した場合には、大当たり状態として大入賞口１１３が開放される。大入賞口１１３の開放は、本実施の形態では、所定時間が経過し、あるいは所定個数の遊技球が入賞するまでを一ラウンドとして、当該ラウンド中継続されることとなる。そしてかかるラウンドが所定回数（例えば１６ラウンド）継続されることとなる。
【００３４】
なお図１では、本実施の形態に係るパチンコ機１０１のうち、遊技盤１０３の表面に形成される遊技領域１０４の構成を示すものであり、当該遊技盤１０３の下方に配置される上皿、下皿、遊技球発射装置等といった周知の要素については、便宜上その説明および図示を省略することとする。
【００３５】
本実施の形態に係るパチンコ機１０１の電装システムが図２に模式的に示される。図２に示すように、本実施の形態に係るパチンコ機１０１は、概略的に見て、
ＡＣ電源に接続された電源装置１２１に中継基板１２３を介して接続されたメイン制御部１２５を主体として構成される。
【００３６】
メイン制御部１２５内には、特に図示しないもののＣＰＵ、メモリ、入力処理回路および出力処理回路が適宜設定されている。さらにメイン制御部１２５には、始動口センサ１３５およびＶ入賞センサ１３７が接続され、各センサ１３５，１３７からの検知信号が適宜入力される。またメイン制御部１２５には、モータ１３９、表示制御部１３１、音制御部１２９、賞球制御部１２７がそれぞれ接続されている。また賞球制御部１２７には更に賞球の払出を実行する賞球装置１３３が接続されている。
【００３７】
モータ１３９は、メイン制御部１２５内に設けられた出力処理回路（特に図示しない）からの駆動制御信号に基づいて適宜通電駆動されることにより、電動役物装置１０５の開閉羽根１５１（図１参照）の開閉駆動制御、および後述する電動役物装置１０５の第１の回転体１５３および第２の回転体１６１の回転駆動制御を行う。表示制御部１３１は、メイン制御部１２５内に設けられた通信制御回路からの制御信号に基づいて電動役物装置１０５の表示装置１７１（図３参照）の表示制御を行う。音制御部１２９は、同じくメイン制御部１２５内に設けられた通信制御回路からの制御信号に基づいてスピーカの音声出力を制御する。
【００３８】
賞球制御部１２７は、特に図示しないものの内部にＣＰＵおよび入出力ポート等を備え、電源装置１２１から電源供給を受けて駆動されるとともに、始動口センサ１３５やＶ入賞センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００３９】
電動役物装置１０５は、図１に示すように、遊技球が入賞可能とされた遊技球入口１０９および当該遊技球入口１０９を開閉する開閉羽根１５１を有するととともに、更に図３および図４に示すように、水平ロータ１５２、第１の回転体１５３および第２の回転体１６１を主たる要素として有する。第１の回転体１５３および第２の回転体１６１は、それぞれ本発明における「第１の振分け体」「第２の振分け体」に対応する。水平ロータ１５２は、概ね鉛直方向に延在する回転軸回りに水平状に回転可能に構成されるとともに、遊技球Ｂを第１の回転体１５３へと導く遊技球誘導孔１５２ａを有する。当該水平ロータ１５２は「クルーン」等と称呼される場合もある。
【００４０】
第１の回転体１５３は、上記水平ロータ１５２の下部に配置され、概ね水平方向に延在する回転軸回りに回転可能に構成される。図３では、第１の回転体１５３は、遊技者側から見て、右回りに回転するように設定されている。第１の回転体１５３の周縁領域には、周方向に等間隔で配列された隔壁１５４を介して多数の遊技球保持部１５５が形成されており、上記水平ロータ１５２の遊技球誘導孔１５２ａから送られた遊技球Ｂは、多数の遊技球保持部１５５のいずれかに保持される。
【００４１】
すなわち、第１の回転体１５３が図中右回りに回転するにつれて、遊技球誘導孔１５２ａの下部には各遊技球保持部１５５が連続変動状に位置することとなり、遊技球Ｂは、当該遊技球誘導孔１５２ａを下降する際、当該遊技球誘導孔１５２ａ下部に位置した遊技球保持部１５５に保持される。図３では、遊技球Ｂが、遊技球保持部１５５ａに保持されつつ、第１の回転体１５３が右回りに回転するにつれて、当該第１の回転体１５３の下方側へと移動していく状態が示されている。
【００４２】
本実施の形態においては、遊技球保持部１５５には、交互に赤色・黒色に着色されるとともに、適宜に数字が付されることにより、第１の回転体１５３をルーレットに模して構成している。すなわち水平ロータ１５２における遊技球遊動孔１５２ａから遊技球Ｂをルーレット状の第１の回転体１５３に投入して入賞を目指すという遊技感覚を遊技者に与えることが可能とされている。
【００４３】
第１の回転体１５３は中空状に形成されており、中空の中央領域には、図柄表示装置１７１が配設されている。図柄表示装置１７１においては、遊技球Ｂが後述する特別入賞口１６５に入賞することを条件として、三列の図柄表示部のそれぞれにおいて所定の図柄が変動状に表示されるとともに、各列において停止した図柄の組合せに応じ、大当たり移行権、すなわち更なる第３種始動口への入賞を条件として大当たり状態を獲得するための権利を発生させる。
【００４４】
第２の回転体１６１は、第１の回転体１５３の下方周縁領域において、第１の回転体１５３と同様に、概ね水平方向に延在する回転軸回りに回転可能に構成されている。第２の回転体１６１は、本実施の形態では、遊技者側から見て右回りに回転するように設定されている。第２の回転体１６１の周縁領域には、二つの一般入賞口１６３と一つの特別入賞口１６５とで合計三つの入賞口が等間隔で配設されている。特別入賞口１６５は、本発明における「入賞部」に対応する要素である。
【００４５】
第１の回転体１５３の遊技球保持部１５５に保持された遊技球Ｂは、遊技球移送部１５７を通じて第２の回転体１６１側へと移動可能に構成されている。一方、第２の回転体１６１の各入賞口１６３，１６５は、当該第２の回転体１６１の回転に伴って、遊技球移送部１５７に順次臨むように構成されている。
【００４６】
なお、第２の回転体１６１の直径は、第１の回転体１５３の直径よりも小さく構成されるとともに、第２の回転体１６１に形成された各入賞口１６３，１６５の設定個数は、第１の回転体１５３に形成された遊技球保持部１５５の設定個数よりも少なくなるように構成されている。
【００４７】
本実施の形態に係るパチンコ機１０１は上記のように構成される。次に当該パチンコ機１０１の作用について説明する。図１に示すパチンコ機１０１において、特に図示しない発射ハンドル装置を介し、遊技盤１０３表面の遊技領域１０４に射出された遊技球が始動口１０７に入賞すると、当該入賞した遊技球が図２に示す始動口センサ１３５によって検出される。これにより始動口センサ１３５からの検出信号がメイン制御部１２５に送られる。メイン制御部１２５は、賞球制御部１２７に制御信号を出力し、当該賞球制御部１２７は始動口１０７への入賞に応じた数の賞球を賞球装置１３３に払い出させる。またこの賞球払い出し情報はホールコンピュータ１４１に対しても出力される。
【００４８】
さらにメイン制御部１２５は、モータ１３９に制御信号を出力し、図１に示す電動役物装置１０５の開閉羽根１５１を開放動作させる。開閉羽根１５１が開放動作することで遊技球入口１０９が開放され、遊技球の入賞が容易な状態が実現される。
【００４９】
開閉羽根１５１が開放動作することで開放された遊技球入口１０９に入賞した遊技球は、図３に示す水平ロータ１５２に送られ、当該水平ロータ１５２の回転上面に暫時滞留した後、遊技球誘導孔１５２ａを通じて下方側の第１の回転体１５３に送られる。図３においては、遊技球Ｂが、第１の回転体１５３の多数の遊技球保持部１５５のうち、任意の遊技球保持部１５５ａに保持され、第１の回転体１５３の右回りの回転動作に伴って下方へと移動していく状態が示される。さらに当該第１の回転体１５３による遊技球Ｂの移動動作は、遊技者の面前で容易に視認可能に提示される。
【００５０】
回転動作する第１の回転体１５３によって、当該第１の回転体１５３の下方に送られた遊技球Ｂは、遊技球移送部１５７を通じて第２の回転体１６１側へと送られる。このとき、第２の回転体１６１においては、等間隔で形成された各入賞口１６３，１６５が、当該第２の回転体１６１の図中右回りの回転動作によって、順次に遊技球移送部１５７に送られており、遊技球Ｂは、各入賞口１６３，１６５のいずれかに送り込まれることとなる。なお本実施の形態では、この遊技球Ｂの各入賞口１６３，１６５への入賞についても、遊技球Ｂの動きが遊技者に容易に視認可能に提示されるよう構成される。
【００５１】
本実施の形態では、遊技球Ｂが三つの入賞口１６３，１６５のうち特別入賞口１６５に入った場合、図２に示すメイン制御部１２５は、賞球制御部１２７を通じ、賞球装置１３３に所定の個数の入賞球を払い出させるとともに、表示制御部１３１を通じ、図柄表示装置１７１において変動図柄表示を開始する。すなわち、本実施の形態に係るパチンコ機１０１においては、電動役物装置１０５に設けられた図柄表示装置１７１における図柄始動の確率は１／３となるように設定されていることとなる。
【００５２】
なお、上述のように、第２の回転体１６１における入賞口１６３，１６５の総数よりも、第１の回転体１５３における遊技球保持部１５５の総数の方が大幅に多くなるように構成されているため、多数の遊技球保持部１５５のうちのどれに保持された場合が特別入賞になるかが把握し難くされており、遊技の趣向性が短期に失われないように適宜工夫されている。
【００５３】
一方、遊技球Ｂが、三つの入賞口１６３，１６５のうち、二つの一般入賞口１６３のいずれかに入った場合を一般入賞と規定し、この場合には、図２に示すメイン制御部１２５は、賞球制御部１２７を通じ、賞球装置１３３に所定の個数の入賞球を払い出させる。なお、一般入賞の場合には、上記図柄表示装置１７１における図柄の変動表示は行われない。
【００５４】
なお、本実施の形態では、第１の回転体１５３および第２の回転体１６１の回転速度を相対的に変化させることで、第２の回転体１６１における特別入賞の確率を適宜に変化させることが可能である。
【００５５】
さて、上記電動役物装置１０５において遊技球Ｂが特別入賞口１６５に入賞すると、第１の回転体１５３の中央領域に配置された図柄表示装置１７１では、特に図示しないものの３列並列状に配設された各図柄が変動表示されるとともに、停止した図柄の組合せに応じて、図１に示す第３種始動口１１１への遊技球の入賞を条件とする大当たり移行権が付与される。
【００５６】
すなわち、電動役物装置１０５で特別入賞口１６５に遊技球Ｂが入賞することを条件として、図柄表示装置１７１における図柄の変動表示が始動し、当該図柄表示装置１７１における各停止図柄が所定の組合せ条件を満たした場合には、遊技者に対して大当たり移行権が付与される。そして、この大当たり移行権が付与されている間に遊技球が、図１に示す第３種始動口１１１に入賞することにより、大当り状態が確定し、大入賞口１１３が所定期間（本実施の形態では、所定時間が経過し、あるいは所定個数の遊技球が入賞するまで）開放動作するとともに、かかる開放動作が所定ラウンド（本発明の実施の形態では１６ラウンド）繰り返されることとなる。
【００５７】
本実施の形態に係るパチンコ機１０１では、第１の回転体１５３と第２の回転体１６１とが所定の組合せ状態となった場合に、遊技球Ｂが当該第１の回転体１５３から第２の回転体１６１の特別入賞口１６５に入賞可能とされ、これによって図柄表示装置１７１における図柄の変動表示を経て、所定の大当たり移行権が遊技者に付与されるように構成される。この間、遊技者は、遊技球が特別入賞口１６５に入賞するか否かにつき、第１の回転体１５３および第２の回転体１６１が相対的に回転動作し、どのような組合せになるかを目視しつつ楽しむことが可能とされる。この結果、遊技における入賞態様が多様化され、遊技の趣向性を向上することが可能となった。
【００５８】
特に本実施の形態では、第１の回転体１５３の中央領域に図柄表示装置１７１が配設されているため、遊技者は第１の回転体１５３における遊技球の挙動を目視しつつ、図柄表示装置１７１における表示内容を同時に視野に入れることができるので、遊技の際に視線を頻繁に移動させることに起因する集中力の低下を効果的に防止することが可能とされる。
【００５９】
なお本実施の形態では、第１の回転体１５３と第２の回転体１６１とは、ともに遊技者から見て右回りに回転動作するように設定されていたが、互いに反対方向に回転動作させる構成としてもよい。
【００６０】
また本実施の形態では、第１の回転体１５３および第２の回転体１６１は、ともに水平方向に延在する回転軸回りに回転動作するように構成されていたが、各回転体１５３，１６１の回転軸をそれぞれ水平方向と交差する方向に延在させる構成とすることも可能である。あるいは双方の回転軸が鉛直方向に延在するように構成してもよい。この場合には、遊技球Ｂが、第１の回転体１５３における遊技球保持部１５５から第２の回転体１６１側へとスムーズに以降できるよう、遊技球保持部１５５を内側に向かって傾斜状に構成するのが好ましい。
【００６１】
【発明の効果】
本発明によれば、遊技機における所定の入賞条件の達成を決定するため経過を一層趣向性に富んだ態様で遊技者に提示することが可能な遊技機の構成技術が提供されることとなった。
【図面の簡単な説明】
【図１】本発明の実施の形態である遊技機における遊技盤の主要部の構成を正面視にて示す。
【図２】本発明の実施の形態に係る遊技機のシステム構成を示すシステムブロック図である。
【図３】本実施の形態における電動役物装置の主要部の構成を斜視図として示す。
【図４】図３に示す電動役物装置の構成を正面視にて示す。
【符号の説明】
１０１  パチンコ機
１０２  遊技球
１０３  遊技盤
１０４  遊技領域
１０５  電動役物装置
１０７  始動口
１０９  遊技球入口
１１１  第３種始動口
１１３  大入賞口
１１５  上皿
１１７  発射ハンドル装置
１１９  下皿
１２１  電源装置
１２３  中継基板
１２５  メイン制御部
１２７  賞球制御部
１２９  音制御部
１３１  表示制御部
１３３  賞球装置
１３５  始動口センサ
１３７  Ｖ入賞センサ
１３９  モータ
１４１  ホールコンピュータ
１５１  開閉羽根
１５２  水平ロータ（クルーン）
１５３  第１の回転体
１５４  隔壁
１５５  遊技球保持部
１５７  遊技球移送部
１６１  第２の回転体
１６３  一般入賞口
１６５  特別入賞口（入賞部）
１７１  図柄表示装置
【図１】
2004236837.tif 000003
【図２】
2004236837.tif 000004
【図３】
2004236837.tif 000005
【図４】
2004236837.tif 000006